(57)【要約】【課題】衝突体の衝突領域側における骨格部材の耐力を向上させると共に、質量の増加、コストの増加を抑制することができる車両骨格構造を得る。【解決手段】衝突体Ａとの衝突を予測した場合、バンパリインフォースメント２０内において、リリーフバルブ４８が開放されると共にリリーフバルブ５０は閉止され空間部３４と空間部３６が連通すると共に空間部３８は閉塞される。この状態で、インフレータ４０内のガスが噴出することで、バンパリインフォースメント２０において、衝突体Ａの衝突領域側の空間部３４内の内圧を高めて衝突体Ａの衝突領域側を強化し、車両１１の前面衝突に対して耐力を向上させる。これにより、バンパリインフォースメント２０の設計時に車両の前面衝突に対して設定される耐力を下げることができ、その分、肉厚を薄くすることができる。その結果、バンパリインフォースメント２０自体の軽量化、コストの低減化を図ることができる。【選択図】図４
2019130976.tif 000002
【特許請求の範囲】
【請求項１】
車両と衝突体との衝突を予測する予測手段と、
閉断面構造を構成し車両幅方向又は車両前後方向に沿って延在された骨格部材の内部に配設され、前記予測手段が前記衝突体との衝突を予測した場合に前記骨格部材内にガスを充填させるインフレータと、
前記骨格部材に設けられ、当該骨格部材の延在方向に沿って区画された複数の空間部のうち、前記予測手段による予測結果に基づいて前記衝突体の衝突領域側の空間部内へ前記インフレータのガスを充填させるインフレータ制御手段と、
を有する車両骨格構造。
【請求項２】
前記インフレータ制御手段は、
前記骨格部材内を複数の空間部に区画する複数の仕切板にそれぞれ形成され、隣接する空間部同士を連通させる開口部にそれぞれ設けられ、当該開口部をそれぞれ開閉可能とする複数の開閉バルブと、
前記開閉バルブの開閉を制御し、前記予測手段による予測結果に基づき、前記衝突体の衝突領域側に位置する前記開閉バルブを開放すると共に当該衝突体の衝突領域から離れた側に位置する前記開閉バルブを閉止するバルブ制御部と、
を含んで構成されている請求項１に記載の車両骨格構造。
【請求項３】
前記インフレータは、前記骨格部材の延在方向の中央部に設けられている請求項１又は請求項２に記載の車両骨格構造。
【請求項４】
前記複数の開閉バルブは、それぞれ前記仕切板における前記インフレータ側に取付けられている請求項２に記載の車両骨格構造。
【請求項５】
前記骨格部材は、前記車両の車両前後方向の前端部において車両幅方向に沿って延在されたバンパリインフォースメントである請求項１〜請求項４の何れか１項に記載の車両骨格構造。
【請求項６】
前記骨格部材は、前記車両の車両幅方向の両端部において車両前後方向に沿ってそれぞれ延在されたロッカである請求項１〜請求項５の何れか１項に記載の車両骨格構造。
【発明の詳細な説明】
【技術分野】
【０００１】
本発明は、車両骨格構造に関する。
【背景技術】
【０００２】
特許文献１には、車両の骨格構造において、ロッカ（ｓｉｌｌ；以下「骨格部材」という）の内部にエアバッグ（ｇａｓ ｂａｇ）及びインフレータ（ｇａｓ  ｇｅｎｅｒａｔｏｒ）が内蔵され、車両の衝突を検知した場合、このインフレータによってエアバッグを膨張させることにより、衝突荷重に対して骨格部材の耐力を高める技術が開示されている。
【先行技術文献】
【特許文献】
【０００３】
【特許文献１】ＤＥ１９９６３０６８Ａ１公報
【発明の概要】
【発明が解決しようとする課題】
【０００４】
しかしながら、この先行技術では、骨格部材全体にガスを送出させる必要があり、容積に応じてインフレータなどのガス供給装置は大きくなり、質量、コストの観点でさらなる改善の余地がある。
【０００５】
本発明は上記事実を考慮し、衝突体の衝突領域側における骨格部材の耐力を向上させると共に、質量の増加、コストの増加を抑制することができる車両骨格構造を得ることを目的とする。
【課題を解決するための手段】
【０００６】
請求項１に記載の車両骨格構造は、車両と衝突体との衝突を予測する予測手段と、閉断面構造を構成し車両幅方向又は車両前後方向に沿って延在された骨格部材の内部に配設され、前記予測手段が前記衝突体との衝突を予測した場合に前記骨格部材内にガスを充填させるインフレータと、前記骨格部材に設けられ、当該骨格部材の延在方向に沿って区画された複数の空間部のうち、前記予測手段による予測結果に基づいて前記衝突体の衝突領域側の空間部内へ前記インフレータのガスを充填させるインフレータ制御手段と、を有している。
【０００７】
請求項１に記載の車両骨格構造では、車両と衝突体との衝突を予測する予測手段が設けられている。一方、閉断面構造を構成する骨格部材は、車両幅方向又は車両前後方向に沿って延在されている。この骨格部材の内部には、インフレータが配設されており、予測手段が衝突体との衝突を予測した場合に、当該インフレータによって骨格部材内にガスが充填されるようになっている。その上で、さらに、本発明では、当該骨格部材において、内部を複数の空間部によって区画し、衝突体の衝突領域（衝突が予測される部位）側の空間部内へインフレータのガスが充填されるように設定されている。
【０００８】
これにより、本発明では、衝突体との衝突を予測した場合、骨格部材において、衝突体の衝突領域側の空間部内の内圧を高めて衝突体の衝突領域側を強化し、かつ衝突荷重に対する耐力を向上させることが可能となる。
【０００９】
よって、本発明では、骨格部材の設計時において、衝突荷重に対して設定される軸圧縮耐力や曲げ耐力等、車両において適用される部位によって必要とされる耐力を下げることができ、その分、肉厚を薄くすることができる。その結果、骨格部材自体の軽量化を図ることができ、骨格部材自体のコストを低減させることができる。
【００１０】
請求項２に記載の車両骨格構造は、請求項１に記載の車両骨格構造において、前記インフレータ制御手段は、前記骨格部材内を複数の空間部に区画する複数の仕切板にそれぞれ形成され、隣接する空間部同士を連通させる開口部にそれぞれ設けられ、当該開口部をそれぞれ開閉可能とする複数の開閉バルブと、前記開閉バルブの開閉を制御し、前記予測手段による予測結果に基づき、前記衝突体の衝突領域側に位置する前記開閉バルブを開放すると共に当該衝突体の衝突領域から離れた側に位置する前記開閉バルブを閉止するバルブ制御部と、を含んで構成されている。
【００１１】
請求項２に記載の車両骨格構造では、インフレータ制御手段は、複数の開閉バルブと、バルブ制御部と、を含んで構成されている。本発明では、複数の仕切板によって、骨格部材内が複数の空間部に区画されている。当該複数の仕切板には、開口部がそれぞれ形成されており、当該開口部によって、隣接する空間部同士が連通している。
【００１２】
また、開口部には、開閉バルブがそれぞれ設けられており、当該開口部をそれぞれ開閉可能としている。そして、当該開閉バルブは、バルブ制御部によって開閉が制御されており、当該バルブ制御部は、予測手段による予測結果に基づき、衝突体の衝突領域側に位置する開閉バルブが開放されると共に当該衝突体の衝突領域から離れた側に位置する開閉バルブが閉止される。
【００１３】
すなわち、骨格部材において、衝突体の衝突領域側に位置する開閉バルブが開放されることにより、当該開閉バルブを通じて空間部内には、インフレータのガスが充填される。一方、当該骨格部材において、衝突体の衝突領域から離れた側に位置する開閉バルブは閉止されるため、当該開閉バルブが設けられた空間部は閉塞され、インフレータのガスは充填されない。
【００１４】
つまり、本発明では、骨格部材において、衝突体の衝突領域から離れた側にはインフレータのガスは充填されないようにして、衝突荷重に対して、衝突体の衝突領域側の部位における耐力を効果的に上げるようにしている。また、骨格部材の内部に複数の仕切板を設けることにより、骨格部材自体の衝突荷重に対する耐力は向上する。
【００１５】
請求項３に記載の車両骨格構造は、請求項１又は請求項２に記載の車両骨格構造において、前記インフレータは、前記骨格部材の延在方向の中央部に設けられている。
【００１６】
例えば、インフレータが骨格部材の延在方向の一端部に設けられた場合、衝突体の衝突領域が骨格部材の延在方向の一端部側の場合と骨格部材の延在方向の他端部側の場合とで、衝突体の衝突領域に対してインフレータのガスが充填される際に時間差が生じてしまう。
【００１７】
このため、請求項３に記載の車両骨格構造では、インフレータが骨格部材の延在方向の中央部に設けられている。これにより、衝突体の衝突領域が骨格部材の延在方向の一端部側の場合と骨格部材の延在方向の他端部側の場合とで、衝突体の衝突領域に対してインフレータのガスが充填される際に、時間的に略同じ条件で迅速かつ効率的にガスを充填させることができる。
【００１８】
請求項４に記載の車両骨格構造は、請求項２に記載の車両骨格構造において、前記複数の開閉バルブは、それぞれ前記仕切板における前記インフレータ側に取付けられている。
【００１９】
インフレータによって空間部内にガスが充填される際、インフレータから噴出されたガスによって仕切板は押圧される。開閉バルブは、仕切板に形成された開口部に設けられているため、例えば、当該仕切板において、インフレータとは反対側に開閉バルブが設けられた場合、仕切板の開口部を通じて空間部内へ充填されるガスにより、開閉バルブは押圧され当該開閉バルブが開口部から外れる可能性がある。
【００２０】
このため、請求項４に記載の車両骨格構造では、複数の開閉バルブは、それぞれ仕切板におけるインフレータ側に取付けられている。これにより、仕切板の開口部を通じて空間部内へ充填されるガスによって開閉バルブが押圧されたとしても、当該開閉バルブは、仕切板によって移動が規制されるため、開口部からの外れが抑制される。
【００２１】
請求項５に記載の車両骨格構造は、請求項１〜請求項４の何れか１項に記載の車両骨格構造において、前記骨格部材は、前記車両の車両前後方向の前端部において車両幅方向に沿って延在されたバンパリインフォースメントである。
【００２２】
請求項５に記載の車両骨格構造では、骨格部材は、車両の車両前後方向の前端部において車両幅方向に沿って延在されたバンパリインフォースメントであり、車両の前面衝突時に、当該バンパリインフォースメントにおいて、衝突体の衝突領域側の耐力を上げることができる。
【００２３】
請求項６に記載の車両骨格構造は、請求項１〜請求項５の何れか１項に記載の車両骨格構造において、前記骨格部材は、前記車両の車両幅方向の両端部において車両前後方向に沿ってそれぞれ延在されたロッカである。
【００２４】
請求項６に記載の車両骨格構造では、骨格部材は、車両の車両幅方向の両端部において車両前後方向に沿ってそれぞれ延在されたロッカであり、車両の側面衝突時に、当該ロッカにおいて、衝突体の衝突領域側の耐力を上げることができる。
【発明の効果】
【００２５】
以上説明したように、請求項１に記載の車両骨格構造は、本発明は上記事実を考慮し、衝突体の衝突領域側における骨格部材の耐力を向上させると共に、質量の増加、コストの増加を抑制することができる、という優れた効果を有する。
【００２６】
請求項２に記載の車両骨格構造は、骨格部材において、衝突体の衝突領域から離れた側にインフレータのガスが充填されないようにして、衝突荷重に対して、衝突体の衝突領域側における耐力を効果的に上げるようすることができる、という優れた効果を有する。
【００２７】
請求項３に記載の車両骨格構造は、骨格部材における衝突体の衝突領域に対して、迅速かつ効率的にガスを充填させることができる、という優れた効果を有する。
【００２８】
請求項４に記載の車両骨格構造は、インフレータから噴出されたガスにより仕切板の開口部から開閉バルブが外れないようにすることができる、という優れた効果を有する。
【００２９】
請求項５に記載の車両骨格構造は、車両の前面衝突時において、バンパリインフォースメントの耐力を効果的に上げることができる、という優れた効果を有する。
【００３０】
請求項６に記載の車両骨格構造は、車両の側面衝突時において、ロッカの耐力を効果的に上げることができる、という優れた効果を有する。
【図面の簡単な説明】
【００３１】
【図１】本実施形態に係る車両骨格構造が適用された車両下部を概略的に示す概略平面図である。
【図２】図１における車両の前端部が拡大された一部拡大平面図である。
【図３】本実施形態に係る車両骨格構造の構成を示すブロック図である。
【図４】図２において、（Ａ）はバンパリインフォースメントの右側に衝突体が衝突する前の状態を示す平面図であり、（Ｂ）はバンパリインフォースメントの右側に衝突体が衝突したときの状態を示す平面図である。
【図５】図２において、（Ａ）はバンパリインフォースメントの左側に衝突体が衝突する前の状態を示す平面図であり、（Ｂ）はバンパリインフォースメントの左側に衝突体が衝突したときの状態を示す平面図である。
【図６】本実施形態に係る車両骨格構造の作用を示すブロックである。
【図７】図１における車両左側が拡大された一部拡大平面図である。
【図８】図７において、（Ａ）はロッカの前部に衝突体が衝突する前の状態を示す平面図であり、（Ｂ）はロッカの前部に衝突体が衝突したときの状態を示す平面図である。
【図９】図２において、（Ａ）はロッカの後部が衝突体が衝突する前の状態を示す平面図であり、（Ｂ）はロッカの後部に衝突体が衝突したときの状態を示す平面図である。
【発明を実施するための形態】
【００３２】
本発明の実施形態に係る車両下部構造について図面に基づいて説明する。なお、各図に適宜記す矢印ＦＲ、矢印ＵＰ、矢印ＲＨ及び矢印ＬＨは、それぞれ本発明の一実施形態に係る車両床部構造が適用された車両の前方向、上方向、右方向、左方向を示している。以下、単に前後、上下、左右の方向を用いて説明する場合は、特に断りのない限り、車両前後方向の前後、車両上下方向の上下、前方向を向いた場合の左右を示すものとする。
【００３３】
（車両骨格構造の構成）
まず、本実施の形態に係る車両骨格構造の構成について説明する。
【００３４】
図１に示されるように、本実施形態に係る車両骨格構造１０が適用された車両１１の車両下部１２が示されている。一般に、車両１１の車両前部１４には、パワーユニットルーム１６が設けられており、当該パワーユニットルーム１６には、車両１１の車両幅方向の両側部において、車両前後方向に沿って左右一対のフロントサイドメンバ１８がそれぞれ延在している。
【００３５】
左右一対のフロントサイドメンバ１８の前端には、車両前端において車両幅方向に沿ってバンパリインフォースメント（骨格部材）２０が延在されている。このバンパリインフォースメント２０は、閉断面構造を有する車両骨格部材とされており、溶接や締結等により左右一対のフロントサイドメンバ１８に結合されている。なお、図示はしないが、フロントサイドメンバ１８の前端とバンパリインフォースメント２０の間に、衝撃吸収部材として別途クラッシュボックスが介在されてもよいのは勿論のことである。
【００３６】
一方、左右一対のフロントサイドメンバ１８の後端は、ダッシュパネル２２にそれぞれ結合されている。このダッシュパネル２２は、パワーユニットルーム１６と車室２４とを区画しており、ダッシュパネル２２の下端には、車室２４の床部を構成する図示しないフロアパネルの前端が結合され、ダッシュパネル２２とフロアパネルとは一体化されている。
【００３７】
また、フロアパネルの車両幅方向の両側には、車両前後方向に沿って左右一対のロッカ（骨格部材）２６がそれぞれ延在されており、左右一対のロッカ２６は、ダッシュパネル２２の車両幅方向の両端部に対して、直接的又は間接的にそれぞれ結合されている。そして、当該左右一対のロッカ２６は、それぞれ閉断面構造を有する車両骨格部材とされている。
【００３８】
ここで、本実施形態における骨格部材として、バンパリインフォースメント２０及びロッカ２６が適用可能とされる。以下の説明では、バンパリインフォースメント２０とロッカ２６を分けて説明する。
【００３９】
（バンパリインフォースメントの構成）
まず、本実施形態におけるバンパリインフォースメント２０の構成について説明する。
【００４０】
本実施形態では、バンパリインフォースメント２０は、例えば、アルミニウム合金等の金属によって形成されており、押出し加工や引抜き加工などによって形成された閉断面構造とされている。そして、バンパリインフォースメント２０の車両幅方向（延在方向）の両端部には、溶接等によって板状の蓋部が結合されており、これにより、バンパリインフォースメント２０の内部２８が閉塞されている。
【００４１】
なお、当該バンパリインフォースメント２０が鋼板で形成されてもよいのは勿論のことである。バンパリインフォースメント２０が鋼板で形成された場合、例えば、当該バンパリインフォースメント２０は、図示はしないが、車両前後方向の前部を構成するフロント部と車両前後方向の後部を構成するリア部とで二分され、フロント部とリア部は、溶接等によって互いに接合される。
【００４２】
また、図２に示されるように、本実施形態では、バンパリインフォースメント２０の内部２８には、バンパリインフォースメント２０の右側から順番に仕切板３０、３２が設けられており、当該仕切板３０、３２によって、バンパリインフォースメント２０内には、空間部３４、３６、３８が設けられている。つまり、バンパリインフォースメント２０の内部２８は、仕切板３０によって空間部３４と空間部３６とに区画されると共に、仕切板３２によって空間部３６と空間部３８とに区画されている。
【００４３】
そして、本実施形態では、バンパリインフォースメント２０の車両幅方向に沿った仕切板３０、３２の位置は、空間部３４、３６、３８の容積が略同じになるように設定されている。しかし、本発明における実施形態は、これに限るものではない。例えば、バンパリインフォースメント２０の車両幅方向の中央部に設けられた空間部３６の容積が、バンパリインフォースメント２０の車両幅方向の両端部にそれぞれ設けられた空間部３８、３４の容積よりも大きくなるように設定されてもよい。なお、後述するロッカ２６においてもこれと同様である。
【００４４】
また、バンパリインフォースメント２０の車両幅方向（延在方向）の中央部に位置する空間部３６内には、インフレータ４０が配設されている。インフレータ４０は、図示しないガス発生部を備えており、インフレータ４０が作動することで、バンパリインフォースメント２０の内部２８へガスが供給されるように構成されている。
【００４５】
当該インフレータ４０は、図３に示されるように、インフレータ制御装置４１の一部を構成し、車両１１に設けられたＥＣＵ（Ｅｌｅｃｔｒｏｎｉｃ  Ｃｏｎｔｒｏｌ  Ｕｎｉｔ；バルブ制御部）４２（後述する）と電気的に接続されており、ＥＣＵ４２からの信号によって、作動するようになっている。
【００４６】
一方、図２に示されるように、バンパリインフォースメント２０の内部２８に設けられた仕切板３０、３２には、開口部４４、４６がそれぞれ形成されており、仕切板３０の開口部４４を通じて空間部３４と空間部３６とが連通可能とされ、仕切板３２の開口部４６を通じて空間部３６と空間部３８とが連通可能とされている。そして、開口部４４、４６には、インフレータ制御装置４１の一部を構成するリリーフバルブ（開閉バルブ）４８、５０が設けられている。例えば、リリーフバルブ４８、５０は、図示はしないが、開口部４４、４６内に挿通可能な本体部と開口部４４、４６よりも大径とされる頭部とを含んで構成されており、当該頭部が仕切板３０、３２の空間部３６側、つまりインフレータ４０側にそれぞれ固定されている（取付けられている）。なお、これらのリリーフバルブ４８、５０は、前述したＥＣＵ４２（図３参照）からの信号に基づいて、開口部４４、４６を開閉可能としている。
【００４７】
ここで、図３に示されるように、ＥＣＵ４２は、例えば、衝突予測センサ（予測手段）５２と電気的に接続されている。この衝突予測センサ５２は、図示はしないが、例えば、カメラ、レーダー（Ｒａｄａｒ）、及びライダー（ＬＩＤＥＲ：Ｌａｓｅｒ  Ｉｍａｇｉｎｇ  Ｄｅｔｅｃｔｉｏｎ  ａｎｄ  Ｒａｎｇｉｎｇ）のうち少なくとも一つを含んでいる。
【００４８】
カメラは、例えば、車両のフロントガラスの上部の室内側に設けられており、車両の外部状況を撮影することにより撮像情報を取得する。そして、当該カメラによって取得された撮像情報は、ＥＣＵ４２へ送信される。また、カメラは、ステレオカメラが用いられる。ステレオカメラの場合、両眼視差を再現するように配置された二つの撮像部を有しており、撮像情報には、奥行き方向の情報も含まれる。なお、カメラは、単眼カメラであってもよいが、この場合、衝突体との距離を検出するため、例えば、後述するレーダー等と併用される。
【００４９】
一方、レーダーは、電波（例えばミリ波）を車両の周囲に送信し、障害物で反射された電波を受信することで障害物との距離を検出する。そして、当該レーダーによって検出された障害物情報は、ＥＣＵ４２へ送信される。また、ライダーは、光を車両の周囲に送信し、障害物で反射された光を受信することで反射点までの距離を計測し、障害物との距離を検出する。そして、当該ライダーによって検出された障害物情報は、ＥＣＵ４２へ送信される。
【００５０】
本実施形態では、衝突予測センサ５２からの障害物情報に基づいてリリーフバルブ４８、５０（開放又は閉止）が作動するようになっている。なお、本実施形態では、リリーフバルブ４８、５０の通常状態では、当該リリーフバルブ４８、５０は閉止された状態で設定されている。
【００５１】
このため、厳密にいえば、リリーフバルブ４８、５０の通常状態において、リリーフバルブ４８、５０が作動すると、当該リリーフバルブ４８、５０は開放され、作動しない状態では、リリーフバルブ４８、５０は閉止された状態が維持されることとなる。しかし、本実施形態では、説明の便宜上、リリーフバルブ４８、５０の元の状態は問わないこととする。つまり、リリーフバルブ４８、５０が作動することによって、リリーフバルブ４８、５０は開放又は閉止されるとする。なお、リリーフバルブ４８は通常状態において、リリーフバルブ４８、５０が開放された状態で設定されてもよいのは勿論のことである。
【００５２】
（バンパリインフォースメントの作用及び効果）
次に、本実施形態におけるバンパリインフォースメント２０の作用及び効果について説明する。
【００５３】
図６に示されるように、本実施形態では、ステップ１００において、衝突予測センサ５２（図３参照）により車両１１（図４（Ａ）参照）の前面衝突が予測されると、この衝突予測センサ５２からの障害物情報に基づき、ＥＣＵ４２（図３参照）では車両１１の前面衝突が不可避であるか否かが判断される。
【００５４】
そして、ステップ１０２において、車両１１の前面衝突が不可避であると判断された場合、ステップ１０４において、ＥＣＵ４２によってリリーフバルブ４８、５０（図３参照）が作動する（後述する）。リリーフバルブ４８、５０の作動により、当該リリーフバルブ４８、５０が開放、閉止すると、ステップ１０６において、インフレータ４０が作動し、ステップ１０８において、車両１１が衝突体Ａに衝突することとなる。
【００５５】
具体的に説明すると、例えば、図４（Ａ）に示されるように、衝突予測センサ５２からの障害物情報に基づいて、バンパリインフォースメント２０の右側（衝突体Ａの衝突領域）が衝突体Ａ（に対して相対的）に衝突すると予測された場合（図６におけるステップ１００、１０２）、ＥＣＵ４２によって、仕切板３０の開口部４４に設けられたリリーフバルブ４８が開放されると共に、仕切板３２の開口部４６に設けられたリリーフバルブ５０は閉止される（図６におけるステップ１０４）。
【００５６】
これにより、開口部４４は開放されると共に開口部４６は閉止され、バンパリインフォースメント２０内において、当該開口部４４を通じて空間部３４と空間部３６は連通すると共に空間部３８は閉塞された空間とされる。この状態で、図４（Ｂ）に示されるように、インフレータ４０が作動し、インフレータ４０内のガスが噴出する（図６におけるステップ１０６）。
【００５７】
インフレータ４０は、バンパリインフォースメント２０の空間部３６内に配設されているため、当該インフレータ４０の作動により噴出したガスは、空間部３６から開口部４４を通じて空間部３４内へ流動する。そして、バンパリインフォースメント２０内において、空間部３６及び空間部３４内にインフレータ４０内のガスが充填された後、車両１１は衝突体Ａに衝突する（図６におけるステップ１０８）。
【００５８】
すなわち、本実施形態では、車両１１が衝突体Ａに衝突する前に、図４（Ｂ）に示すバンパリインフォースメント２０の空間部３６及び空間部３４内において、インフレータ４０内のガスが充填されている。これにより、バンパリインフォースメント２０において、衝突体Ａの衝突領域側に位置する空間部３４内の内圧は高まり、衝突体Ａの衝突領域側は強化され衝突荷重に対する耐力が向上することとなる。
【００５９】
一方、図５（Ａ）に示されるように、衝突予測センサ５２（図３参照）からの障害物情報に基づいて、バンパリインフォースメント２０の左側（衝突体Ａの衝突領域）が衝突体Ａに衝突すると予測された場合（図６におけるステップ１００、１０２）は、ＥＣＵ４２（図３参照）により、仕切板３０側に設けられたリリーフバルブ４８が閉止されると共に、仕切板３２側に設けられたリリーフバルブ５０が開放される（図６におけるステップ１０４）。
【００６０】
これにより、バンパリインフォースメント２０内において、空間部３４は閉塞されると共に開口部４６を通じて空間部３６と空間部３８は連通する。この状態で、図５（Ｂ）に示されるように、インフレータ４０が作動し、インフレータ４０内のガスが噴出する（図６におけるステップ１０６）。
【００６１】
インフレータ４０から噴出したガスは、空間部３６から開口部４６を通じて空間部３８内へ流動する。そして、バンパリインフォースメント２０内において、空間部３６及び空間部３８内にインフレータ４０内のガスが充填された後、車両１１が衝突体Ａに衝突する（図６におけるステップ１０８）。
【００６２】
すなわち、本実施形態では、車両１１が衝突体Ａに衝突する前に、図５（Ｂ）に示すバンパリインフォースメント２０内では、空間部３６及び空間部３８内において、インフレータ４０内のガスが充填されている。これにより、バンパリインフォースメント２０において、衝突体Ａの衝突領域側に位置する空間部３８内の内圧は高まり、衝突体Ａの衝突領域側は強化され衝突荷重に対する耐力が向上することとなる。
【００６３】
なお、図示はしないが、衝突予測センサ５２からの障害物情報に基づいて、バンパリインフォースメント２０の車両幅方向の中央部（衝突体の衝突領域）が衝突体Ａに衝突すると予測された場合（図６におけるステップ１００、１０２）は、リリーフバルブ４８、５０が閉止され、空間部３４と空間部３８は閉塞される（図６におけるステップ１０４）。
【００６４】
このため、インフレータ４０のガスは、バンパリインフォースメント２０内の空間部３６のみに充填され（図６におけるステップ１０６）、当該空間部３６にガスが充填された後、車両１１が衝突体Ａに衝突する（図６におけるステップ１０８）。
【００６５】
すなわち、本実施形態では、車両１１が衝突体Ａに衝突する前に、バンパリインフォースメント２０内では、空間部３６内において、インフレータ４０内のガスが充填されている。これにより、バンパリインフォースメント２０において、衝突体Ａの衝突領域側に位置する空間部３６内の内圧は高まり、衝突体Ａの衝突領域側は強化され衝突荷重に対する耐力が向上することとなる。
【００６６】
一般に、バンパリインフォースメントでは、車両の前面衝突に対して必要とされる耐力に基づいて設計がなされる。ここで、車両の前面衝突において、車両の正面全面が衝突する対称衝突（以下、「フルラップ衝突」という）と車両の正面の片側が衝突する非対称衝突（以下、「オフセット衝突」という）とを比較した場合、バンパリインフォースメントにおいて、オフセット衝突の場合の方が、フルラップ衝突の場合よりも車両の前面衝突に対して大きい耐力を必要とする。
【００６７】
そして、オフセット衝突の中でも、フロントサイドメンバよりも車両幅方向の外側での前面衝突（以下、「微小ラップ衝突」という）では、バンパリインフォースメントにおいて、さらに大きい耐力を必要とする。したがって、バンパリインフォースメントでは、この微小ラップ衝突に対して必要とされる耐力を考慮して設計がなされることとなる。
【００６８】
このように、微小ラップ衝突に対して必要とされる耐力に基づいてバンパリインフォースメントが設計された場合、フルラップ衝突に対して必要とされる耐力に基づいてバンパリインフォースメントが設計された場合と比較して、バンパリインフォースメントの耐力を上げるために、例えば、肉厚が厚く設定される。このように、バンパリインフォースメントの肉厚を厚くすると、その分、バンパリインフォースメント自体の質量が大きくなってしまい、バンパリインフォースメント自体のコストも高くなってしまう。
【００６９】
これに対して、本実施形態では、衝突体との衝突が予測されたときに、バンパリインフォースメントにおける衝突体の衝突領域側の耐力を上げるようにしている。
【００７０】
すなわち、本実施形態では、例えば、前述した図４（Ｂ）に示されるように、衝突体Ａとの衝突を予測した場合、バンパリインフォースメント２０において、衝突体Ａの衝突領域側の空間部３４内の内圧を高めて衝突体Ａの衝突領域側を強化し、車両１１の前面衝突に対して耐力を向上させることが可能となる。
【００７１】
よって、本実施形態では、バンパリインフォースメント２０の設計時において、車両の前面衝突に対して設定される耐力を下げることができ、その分、肉厚を薄くすることができる。その結果、バンパリインフォースメント２０自体の軽量化を図ることができ、バンパリインフォースメント２０自体のコストを低減させることができる。
【００７２】
また、本実施形態では、バンパリインフォースメント２０内の一部にインフレータ４０のガスを充填させるようにするため、バンパリインフォースメント２０内の全体に亘ってインフレータ４０のガスを充填させるようにする場合と比較して、インフレータ４０の小型化が可能となる。
【００７３】
また、本実施形態では、図３に示されるように、バンパリインフォースメント２０（図２参照）において、衝突に対する耐力を制御するインフレータ制御装置４１は、ＥＣＵ４２と複数のリリーフバルブ４８、５０を備えている。さらに、本実施形態では、図２に示されるように、複数の仕切板３０、３２によって、バンパリインフォースメント２０の内部２８が複数の空間部３４、３６、３８に区画されている。そして、当該複数の仕切板３０、３２には、開口部４４、４６がそれぞれ形成されており、当該開口部４４によって、隣接する空間部３４と空間部３６とが連通し、開口部４６によって、隣接する空間部３６と空間部３８とが連通している。
【００７４】
また、開口部４４、４６には、リリーフバルブ４８、５０がそれぞれ設けられており、当該開口部４４、４６をそれぞれ開閉可能としている。そして、当該リリーフバルブ４８、５０は、ＥＣＵ４２によって開閉が制御されており、当該ＥＣＵ４２は、衝突予測センサ５２による予測結果に基づき、例えば、図４（Ａ）に示されるように、衝突体Ａの衝突領域側に位置するリリーフバルブ４８が開放されると共に当該衝突体Ａの衝突領域から離れた側に位置するリリーフバルブ５０が閉止される。
【００７５】
すなわち、バンパリインフォースメント２０において、衝突体Ａの衝突領域側に位置するリリーフバルブ４８が開放されることにより、当該リリーフバルブ４８を通じて空間部３４内には、インフレータ４０のガスが充填される。一方、当該バンパリインフォースメント２０において、衝突体Ａの衝突領域から離れた側に位置するリリーフバルブ５０は閉止されるため、当該リリーフバルブ５０が設けられた空間部３８は閉塞され、インフレータ４０のガスは充填されない。
【００７６】
つまり、本実施形態では、バンパリインフォースメント２０において、衝突体Ａの衝突領域から離れた側にはインフレータ４０のガスは充填されないようにして、衝突荷重に対して、衝突体の衝突領域側の部位における耐力を効果的に上げるようにしている。また、本実施形態では、バンパリインフォースメント２０の内部２８に複数の仕切板３０、３２を設けることにより、バンパリインフォースメント２０自体の衝突荷重に対する耐力は向上する。
【００７７】
また、本実施形態では、バンパリインフォースメント２０の車両幅方向（延在方向）の中央部に位置する空間部３６内にインフレータ４０が配設されている。例えば、図示はしないが、インフレータ４０がバンパリインフォースメント２０の車両幅方向の一端部に設けられた場合、衝突体Ａの衝突領域がバンパリインフォースメント２０の車両幅方向の一端部側の場合とバンパリインフォースメント２０の車両幅方向の他端部側の場合とで、衝突体Ａの衝突領域に対してインフレータ４０のガスが充填される際に時間差が生じてしまう。
【００７８】
このため、本実施形態では、図２に示されるように、バンパリインフォースメント２０の車両幅方向の中央部に位置する空間部３６内にインフレータ４０が配設されることで、衝突体Ａの衝突領域がバンパリインフォースメント２０の車両幅方向の一端部側の場合とバンパリインフォースメント２０の車両幅方向の他端部側の場合とで、衝突体Ａの衝突領域に対してインフレータ４０のガスが充填される際に、時間的に略同じ条件で迅速かつ効率的にガスを充填させることができる。
【００７９】
ところで、図２に示されるように、インフレータ４０によって空間部３４内にガスが充填される際、インフレータ４０から噴出されたガスによって仕切板３０、３２は押圧される。リリーフバルブ４８、５０は、仕切板３０、３２に形成された開口部４４、４６に設けられているため、例えば、当該仕切板３０、３２において、インフレータ４０とは反対側にリリーフバルブ４８、５０が設けられた場合、仕切板３０、３２の開口部４４、４６を通じて、空間部３４、３８内へ充填されるガスによってリリーフバルブ４８、５０が押圧され、当該リリーフバルブ４８、５０が開口部４４、４６から外れる可能性がある。
【００８０】
このため、本実施形態では、図示はしないが、リリーフバルブ４８、５０の頭部が仕切板３０、３２の空間部３６側、つまりインフレータ４０側にそれぞれ固定されている。したがって、例えば、仕切板３０の開口部４４を通じて空間部３４内へ充填されるガスによってリリーフバルブ４８が押圧されたとしても、当該リリーフバルブ４８の頭部は仕切板３０に当接しているため、当該仕切板３０によってリリーフバルブ４８の移動は規制される。したがって、本実施形態によれば、リリーフバルブ４８は、開口部４４からの外れが抑制されることとなる。なお、リリーフバルブ５０においても、リリーフバルブ４８と同様である。
【００８１】
また、本実施形態では、バンパリインフォースメント２０の内部２８は閉塞されているが、インフレータ４０内のガスが噴出したときに、バンパリインフォースメント２０内において、内圧が高まるに十分な閉塞性が担保されていればよいため、バンパリインフォースメント２０の内部２８は完全な閉塞状態に限るものではない。以下で説明するロッカ２６においても当該バンパリインフォースメント２０と同様である。
【００８２】
さらに、本実施形態では、図２に示されるように、バンパリインフォースメント２０内を区画する仕切板３０、３２に開口部４４、４６をそれぞれ形成し、当該開口部４４、４６にリリーフバルブ４８、５０をそれぞれ設けて開口部４４、４６を開閉可能とすることで、所定の空間部内へインフレータ４０内のガスが充填されるようにしている。しかし、本発明では、所定の空間部内へインフレータ４０内のガスを充填することができればよいため、これに限るものではない。例えば、図示はしないが、インフレータ自体に複数のバルブが設けられ、所定のバルブの開放により、区画された所定の空間部とインフレータ内とが連通するようになっていてもよい。
【００８３】
（ロッカの構成）
一方、本実施形態におけるロッカの構成について説明する。
【００８４】
本実施形態におけるロッカ２６もまた、当該バンパリインフォースメント２０と同様の構成となっている。すなわち、当該ロッカ２６もアルミニウム合金等の金属によって形成され、押出し加工や引抜き加工などによって形成された閉断面構造とされている。
【００８５】
そして、ロッカ２６の車両前後方向（延在方向）の両端部には、溶接等によって板状の蓋部が結合されており、これにより、ロッカ２６の内部５４が閉塞されている。なお、当該ロッカ２６もバンパリインフォースメント２０と同様に鋼板で形成されてもよいのは勿論のことである。ロッカ２６が鋼板で形成された場合、例えば、当該ロッカ２６は、図示はしないが、車両幅方向の外側を構成するアウタ部と車両幅方向の内側を構成するインナ部とで二分され、アウタ部とインナ部は、溶接等によって互いに接合される。
【００８６】
また、本実施形態では、ロッカ２６の内部５４には、バンパリインフォースメント２０と同様に、ロッカ２６の前側から順番に仕切板５６、５８が設けられており、当該仕切板５６、５８によって、ロッカ２６内には、空間部６０、６２、６４が設けられている。
【００８７】
つまり、ロッカ２６の内部５４は、仕切板５６によって空間部６０と空間部６２とに区画されると共に、仕切板５８によって空間部６２と空間部６４とに区画されている。そして、ロッカ２６の車両前後方向の中央部に位置する空間部６２内にインフレータ６６が配設されている。
【００８８】
また、当該仕切板５６、５８には、開口部６８、７０がそれぞれ形成されており、仕切板５６の開口部６８を通じて空間部６０と空間部６２とが連通可能とされ、仕切板５８の開口部７０を通じて空間部６２と空間部６４とが連通可能とされている。そして、開口部６８、７０には、インフレータ制御装置４１の一部を構成するリリーフバルブ（開閉バルブ）７２、７４がそれぞれ取付けられており、リリーフバルブ７２、７４は、仕切板５６、５８のインフレータ６６側にそれぞれ取付けられている。
【００８９】
また、これらのリリーフバルブ７２、７４は、ＥＣＵ４２にそれぞれ電気的に接続されており、このＥＣＵ４２からの信号に基づいて、開口部６８、７０を開閉可能としている。なお、リリーフバルブ７２、７４の開閉動作における作用は、リリーフバルブ４８、５０と略同じであるため、説明を割愛する。
【００９０】
（ロッカの作用及び効果）
また、本実施形態におけるロッカの作用及び効果について説明する。なお、バンパリインフォースメント２０と略同じ内容については説明を割愛する。
【００９１】
本実施形態では、例えば、図８（Ａ）に示されるように、衝突予測センサ５２からの障害物情報に基づいて、車両１１の側面衝突が予測された場合について説明する。ここでは、衝突予測センサ５２による障害物情報によりロッカ２６の前側（衝突体Ｂの衝突領域）が衝突体Ｂ（に対して相対的）に衝突すると予測された場合、ＥＣＵ４２によって、仕切板５６に設けられたリリーフバルブ７２が開放されると共に、仕切板５８に設けられたリリーフバルブ７４は閉止される。
【００９２】
これにより、開口部６８は開放されると共に開口部７０は閉止され、ロッカ２６内において、当該開口部６８を通じて空間部６０と空間部６２は連通すると共に空間部６４は閉塞される。この状態で、図８（Ｂ）に示されるように、インフレータ６６が作動し、インフレータ６６内のガスが噴出する。
【００９３】
当該インフレータ６６は、ロッカ２６の空間部６２内に配設されているため、当該インフレータ６６の作動により噴出したガスは、空間部６２から開口部６８を通じて空間部６０内へ流動する。そして、ロッカ２６内において、空間部６２及び空間部６０内にインフレータ６６内のガスが充填された後、車両１１は衝突体Ｂに衝突する。
【００９４】
すなわち、本実施形態では、車両１１が衝突体Ｂに衝突する前に、図８（Ｂ）に示すロッカ２６の空間部６２及び空間部６０内において、インフレータ６６内のガスが充填されている。これにより、ロッカ２６において、衝突体Ｂの衝突領域側に位置する空間部６０内の内圧は高まり、衝突体Ｂの衝突領域側は強化され衝突荷重に対する耐力が向上することとなる。
【００９５】
一方、図９（Ａ）に示されるように、衝突予測センサ５２（図３参照）からの障害物情報に基づいて、ロッカ２６の後部（衝突体Ｂの衝突領域）が衝突体Ｂに衝突すると予測された場合は、ＥＣＵ４２（図３参照）により、仕切板５６側に設けられたリリーフバルブ７２が閉止されると共に、仕切板５８側に設けられたリリーフバルブ７４が開放される。
【００９６】
これにより、ロッカ２６内において、空間部６０は閉塞されると共に開口部７０を通じて空間部６２と空間部６４は連通する。この状態で、図９（Ｂ）に示されるように、インフレータ６６が作動し、インフレータ６６内のガスが噴出する。
【００９７】
インフレータ６６から噴出したガスは、空間部６２から開口部７０を通じて空間部６４内へ流動する。そして、ロッカ２６内において、空間部６２及び空間部６４内にインフレータ６６内のガスが充填された後、車両１１が衝突体Ｂに衝突する。
【００９８】
すなわち、本実施形態では、車両１１が衝突体Ｂに衝突する前に、図９（Ｂ）に示すロッカ２６内では、空間部６２及び空間部６４内において、インフレータ６６内のガスが充填されている。これにより、ロッカ２６において、衝突体Ｂの衝突領域側に位置する空間部６４内の内圧は高まり、衝突体Ｂの衝突領域側は強化され衝突荷重に対する耐力が向上することとなる。
【００９９】
なお、図示はしないが、衝突予測センサ５２からの障害物情報に基づいて、ロッカ２６の車両前後方向の中央部（衝突体の衝突領域）が衝突体Ｂに衝突すると予測された場合は、リリーフバルブ７２、７４が閉止され、空間部６０と空間部６４は閉塞される。このため、インフレータ６６のガスは、ロッカ２６内の空間部６２のみに充填され、当該空間部６２内にガスが充填された後、車両１１が衝突体Ｂに衝突する。
【０１００】
以上のように、本実施形態では、バンパリインフォースメント２０同様、車両１１が衝突体Ｂに衝突する前に、ロッカ２６内では、空間部６２内において、インフレータ６６内のガスが充填されている。これにより、ロッカ２６において、衝突体Ｂの衝突領域側に位置する空間部６０内の内圧は高まり、衝突体Ｂの衝突領域側は強化され衝突荷重に対する耐力が向上することとなる。
【０１０１】
よって、本実施形態では、ロッカ２６の設計時において、車両の側面衝突に対して設定される耐力を下げることができ、その分、肉厚を薄くすることができる。その結果、ロッカ２６自体の軽量化を図ることができ、ロッカ２６自体のコストを低減させることができる。
【０１０２】
また、本実施形態では、バンパリインフォースメント２０同様、ロッカ２６内の全体に亘ってインフレータ６６のガスを充填させるようにする場合と比較して、インフレータ６６の小型化が可能となる。
【０１０３】
さらに、本実施形態では、バンパリインフォースメント２０同様、衝突体Ｂの衝突領域から離れた側にはインフレータ６６のガスは充填されないようにして、衝突荷重に対して、衝突体Ｂの衝突領域側の部位における耐力を効果的に上げるようにしている。また、本実施形態では、ロッカ２６の内部５４に複数の仕切板５６、５８を設けることにより、ロッカ２６自体の衝突荷重に対する耐力は向上する。
【０１０４】
また、本実施形態では、ロッカ２６の車両前後方向（延在方向）の中央部に位置する空間部３６内にインフレータ４０が配設されることで、衝突体Ａの衝突領域がロッカ２６の前部側の場合とロッカ２６の後部側の場合とで、衝突体Ｂの衝突領域に対してインフレータ６６のガスが充填される際に、時間的に略同じ条件で迅速かつ効率的にガスを充填させることができる。
【０１０５】
なお、本実施形態では、本発明における骨格部材として、バンパリインフォースメント２０及びロッカ２６を適用させて説明したが、これに限るものではなく、バンパリインフォースメント２０及びロッカ２６のうち、何れか一方のみを適用させてもよい。
【０１０６】
以上、本発明の実施形態の一例について説明したが、本発明の実施形態は、上記に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１０７】
１０      車両骨格構造
１１      車両
１２      車両下部（車両）
１４      車両前部（車両）
２０      バンパリインフォースメント（骨格部材）
２６      ロッカ（骨格部材）
３０      仕切板
３２      仕切板
３４      空間部
３６      空間部
３８      空間部
４０      インフレータ
４１      インフレータ制御装置（インフレータ制御手段）
４２      ＥＣＵ （バルブ制御部、インフレータ制御手段）
４４      開口部
４６      開口部
４８      リリーフバルブ（開閉バルブ、インフレータ制御手段）
５０      リリーフバルブ（開閉バルブ、インフレータ制御手段）
５２      衝突予測センサ（予測手段）
５６      仕切板
５８      仕切板
６０      空間部
６２      空間部
６４      空間部
６６      インフレータ
６８      開口部
７０      開口部
７２      リリーフバルブ（開閉バルブ、インフレータ制御手段）
７４      リリーフバルブ（開閉バルブ、インフレータ制御手段）
Ａ        衝突体
Ｂ        衝突体
【図１】
2019130976.tif 000003
【図２】
2019130976.tif 000004
【図３】
2019130976.tif 000005
【図４】
2019130976.tif 000006
【図５】
2019130976.tif 000007
【図６】
2019130976.tif 000008
【図７】
2019130976.tif 000009
【図８】
2019130976.tif 000010
【図９】
2019130976.tif 000011